(57)【特許請求の範囲】
【請求項１】
接近対向状に配置されて互いに電気的に接続される第１，第２基板と、この第１，第２基板を収容する基板ケースとを備えた遊技機において、
前記基板ケースは、第１基板を第２基板側と反対側から支持する本体ケースと、この本体ケースに第２基板側から着脱自在に装着されるカバーケースとを有し、
前記本体ケースに第２基板の一部を支持するように一体形成された基板支持部と、
前記第１，第２基板に夫々固定されて互いに接続・分離可能な第１，第２コネクタであって、接続状態で第２基板の前記一部から離隔した他部を第１基板に対して支持するように設けられた第１，第２コネクタと、
前記カバーケースに一体形成され、カバーケースを本体ケースに装着した状態で、前記基板支持部及び第１，第２コネクタと協働して、第２基板を基板ケースに対して位置決め固定するように第２基板に係合する係合部と、
を備えたことを特徴とする遊技機。
【請求項２】
前記第２基板に前記係合部に対応する挿通孔が形成され、
前記係合部は、カバーケースを本体ケースに装着した状態で、本体ケースの方へ突出状に形成されるとともに、第２基板の前記挿通孔の外周近傍部に先端部が当接可能な係合基部と、この係合基部から先端側へ延びて前記挿通孔を挿通する挿通軸部とを有することを特徴とする請求項１に記載の遊技機。
【請求項３】
前記挿通軸部の先端部が係合される係合孔が第１基板に形成されたことを特徴とする請求項２に記載の遊技機。
【請求項４】
前記基板支持部は、第２基板の前記一部である一端縁近傍部を支持するように、本体ケースの一端縁側の側壁部に形成され、
前記第１，第２コネクタは、第２基板の前記他部である他端縁側の部分を支持するように設けられたことを特徴とする請求項１〜３の何れかに記載の遊技機。
【請求項５】
前記基板支持部は、本体ケースの一端縁側の側壁部に一体形成された１又は複数のリブに設けられたことを特徴とする請求項４に記載の遊技機。
【請求項６】
前記係合部及び挿通孔が、第２基板の４つの角近傍部分に夫々対応する配置で４組設けられたことを特徴とする請求項４に記載の遊技機。
【請求項７】
前記第２基板が第１基板よりも小さく形成され、
前記カバーケースに一体形成され、カバーケースを本体ケースに装着した状態で、本体ケースと協働して、第１基板を基板ケースに対して位置決め固定するように第１基板に係合する複数の第２の係合部を備えたことを特徴とする請求項１〜６の何れかに記載の遊技機。
【請求項８】
前記第１基板に前記複数の第２の係合部に対応する複数の第２の係合孔が形成され、
前記各第２の係合部は、カバーケースを本体ケースに装着した状態で、本体ケースの方へ突出状に形成されるとともに、第１基板の前記第２の係合孔の外周近傍部に先端部が当接可能な第２の係合基部と、この第２の係合基部から先端側へ突出して前記第２の係合孔に係合する先端係合部とを有することを特徴とする請求項７に記載の遊技機。
【請求項９】
前記本体ケースとカバーケースに、カバーケースを本体ケースに着脱可能に装着する着脱ヒンジ機構が一体的に設けられたことを特徴とする請求項１〜８の何れかに記載の遊技機。
【請求項１０】
前記着脱ヒンジ機構は、本体ケースの他端縁側の側壁部に形成された枢支軸と、本体ケースの一端縁側の側壁部に形成された係止爪と、カバーケースの他端縁側の側壁部に前記枢支軸部に枢支可能に形成された枢支爪と、カバーケースの一端縁側の側壁部に前記係止爪が係止可能に形成された係止孔とを有することを特徴とする請求項９に記載の遊技機。
【発明の詳細な説明】
【技術分野】
【０００１】
本発明は、遊技機において、接近対向状に配置されて互いに電気的に接続される第１，第２基板を、これら基板を収容する基板ケースに対して位置決め固定する技術に関する。
【背景技術】
【０００２】
一般に、パチンコ機やスロットマシン等の遊技機は、各種処理や制御を実行する為の複数の基板を備え、主要な基板（主制御基板、演出制御基板等）は、不正防止を図るために基板ケースに収容されている。
【０００３】
近年、遊技機において、遊技演出の多様化やセキュリティの向上化等に伴って基板の数やサイズが増大する傾向にあり、そこで、基板配置を整然と行うために、互いに電気的に接続される第１，第２基板を、接近対向状に配置して共通の基板ケースに収容したものが実用化されている（例えば、特許文献１参照）。
【０００４】
特許文献１の遊技機では、表示器取付部材の後端の閉塞板に、前方を開放した箱形の基板カバーが複数のビスで取付けられて、この閉塞板と基板カバーとで基板ケースが構成され、この基板ケースにランプドライバ基板（第１基板）と演出制御基板（第２基板）とが前後に接近対向状に配置された状態で収容されている。
【０００５】
閉塞部材には、後方へ突出する複数の第１ボス部と、第１ボス部よりも後方へ突出する複数の第２ボス部とが一体形成され、第１基板が複数の第１ボス部に後側から当接した状態で複数のビスで取付けられ、第２基板が複数の第２ボス部に後側から当接した状態で複数のビスで取付けられている。
【０００６】
尚、第１，第２基板には第１，第２コネクタが夫々固定され、第１，第２基板が閉塞部材に取付けられた状態で、第１，第２コネクタが接続されるが、この第１，第２コネクタは、実質上、第２基板の位置決め固定には寄与していない。
【特許文献１】特開２００３−２５１０４３号公報（図４等）
【発明の開示】
【発明が解決しようとする課題】
【０００７】
遊技機において、接近対向状に配置されて互いに電気的に接続される第１，第２基板を共通の基板ケースに収容する場合、第１，第２基板を、これら基板間の間隔が適当に空くようにして、基板ケースに対して位置決め固定する必要がある。
【０００８】
そのために、特許文献１の遊技機では、閉塞部材に複数の第１ボス部及び複数の第２ボス部を一体形成し、第１，第２基板を夫々複数の第１，第２ボス部に複数のビスで取付けているが、複数のビスを用いるために、部品点数が多くなって、第１，第２基板の取付構造が複雑になり、また、第１，第２基板の取付け作業の際にビスを紛失する虞もあり、第１，第２基板の取付作業負荷が大きくなる。
【０００９】
しかも、第１，第２基板の取付け後に、基板カバーを閉塞部材に取付ける必要があり、その基板カバーの閉塞部材への取付けにも複数のビスを用いるため、部品点数が多くなって、基板カバーの取付構造も複雑になるし、基板カバーの取付け作業の際にビスを紛失する虞もあり、基板カバーの取付作業負荷が大きくなり、結局、第１，第２基板の取付けから最終的に基板カバーを閉塞部材に取付ける迄の作業負荷が非常に大きくなる。
【００１０】
尚、基板ケースに固定される第１基板に対して第２基板を複数のスペーサを介して取付けることも考えられるが、複数のスペーサが別途必要になると、部品点数が多くなり、第２基板の取付構造が複雑になり、この第２基板の取付けにビスを用いるのであれば、尚更、第２基板の取付構造が複雑になるとともに、第２基板の取付け作業の際にビスを紛失する虞もあり、第２基板の取付作業負荷が大きくなる。
【００１１】
本発明の目的は、簡単な構造で第２基板を基板ケースに対して確実に迅速に位置決め固定でき、更に、簡単な構造で第１基板を基板ケースに対して確実に迅速に位置決め固定でき、第２基板の取付けから、更には第１基板の取付けから最終的にカバーケースを本体ケースに装着する迄の作業負荷を著しく軽減できる、遊技機を提供することである。
【課題を解決するための手段】
【００１２】
請求項１の遊技機は、接近対向状に配置されて互いに電気的に接続される第１，第２基板と、この第１，第２基板を収容する基板ケースとを備えた遊技機において、前記基板ケースは、第１基板を第２基板側と反対側から支持する本体ケースと、この本体ケースに第２基板側から着脱自在に装着されるカバーケースとを有し、前記本体ケースに第２基板の一部を支持するように一体形成された基板支持部と、前記第１，第２基板に夫々固定されて互いに接続・分離可能な第１，第２コネクタであって、接続状態で第２基板の前記一部から離隔した他部を第１基板に対して支持するように設けられた第１，第２コネクタと、前記カバーケースに一体形成され、カバーケースを本体ケースに装着した状態で、前記基板支持部及び第１，第２コネクタと協働して、第２基板を基板ケースに対して位置決め固定するように第２基板に係合する係合部とを備えたことを特徴とする。
【００１３】
第１，第２基板と基板ケース（本体ケースとカバーケース）を分離状態から使用状態に組立てる場合、先ず、本体ケースに第１基板が支持されるように第１基板をセットし、それから、第１，第２基板に夫々固定された第１，第２コネクタを接続して、第１，第２基板を一体化する。この場合、本体ケースのカバーケース装着側が上に向く姿勢にして行うことが望ましい。尚、第１，第２コネクタを接続して第１，第２基板を一体化した後に、本体ケースに第１基板をセットすることも可能である。
【００１４】
こうして、第１，第２基板が接近対向状に配置されて互いに電気的に接続され、第１基板が第２基板側と反対側から本体ケースに支持され、本体ケースに一体形成された基板支持部に第２基板の一部が支持されるとともに、接続状態の第１，第２コネクタにより第２基板の前記一部から離隔した他部が第１基板に対して支持され得る状態で、カバーケースを本体ケースに第２基板側から装着する。
【００１５】
すると、カバーケースが本体ケースに装着された状態で、カバーケースに一体形成された係合部が第２基板に係合し、この係合部と基板支持部及び第１，第２コネクタとの協働により、第２基板が基板ケースに対して位置決め固定される。ここで、カバーケースが本体ケースに装着された状態で、本体ケースとカバーケースとの協働により、第１基板が基板ケースに対して位置決め固定されるようにすることが好ましい。
【００１６】
ここで、従属請求項として次の構成を採用可能である。
前記第２基板に前記係合部に対応する挿通孔が形成され、前記係合部は、カバーケースを本体ケースに装着した状態で、本体ケースの方へ突出状に形成されるとともに、第２基板の前記挿通孔の外周近傍部に先端部が当接可能な係合基部と、この係合基部から先端側へ延びて前記挿通孔を挿通する挿通軸部とを有する（請求項２）。
【００１７】
前記挿通軸部の先端部が係合される係合孔が第１基板に形成される（請求項３）。前記基板支持部は、第２基板の前記一部である一端縁近傍部を支持するように、本体ケースの一端縁側の側壁部に形成され、前記第１，第２コネクタは、第２基板の前記他部である他端縁側の部分を支持するように設けられる（請求項４）。前記基板支持部は、本体ケースの一端縁側の側壁部に一体形成された１又は複数のリブに設けられる（請求項５）。前記係合部及び挿通孔が、第２基板の４つの角近傍部分に夫々対応する配置で４組設けられる（請求項６）。
【００１８】
前記第２基板が第１基板よりも小さく形成され、前記カバーケースに一体形成され、カバーケースを本体ケースに装着した状態で、本体ケースと協働して、第１基板を基板ケースに対して位置決め固定するように第１基板に係合する複数の第２の係合部を備える（請求項７）。前記第１基板に前記複数の第２の係合部に対応する複数の第２の係合孔が形成され、前記各第２の係合部は、カバーケースを本体ケースに装着した状態で、本体ケースの方へ突出状に形成されるとともに、第１基板の前記第２の係合孔の外周近傍部に先端部が当接可能な第２の係合基部と、この第２の係合基部から先端側へ突出して前記第２の係合孔に係合する先端係合部とを有する（請求項８）。
【００１９】
前記本体ケースとカバーケースに、カバーケースを本体ケースに着脱可能に装着する着脱ヒンジ機構が一体的に設けられる（請求項９）。前記着脱ヒンジ機構は、本体ケースの他端縁側の側壁部に形成された枢支軸と、本体ケースの一端縁側の側壁部に形成された係止爪と、カバーケースの他端縁側の側壁部に前記枢支軸部に枢支可能に形成された枢支爪と、カバーケースの一端縁側の側壁部に前記係止爪が係止可能に形成された係止孔とを有する（請求項１０）。
【発明の効果】
【００２０】
請求項１の遊技機によれば、接近対向状に配置されて互いに電気的に接続される第１，第２基板を基板ケースに収容し、その基板ケースが、第１基板を第２基板側と反対側から支持する本体ケースと、この本体ケースに第２基板側から着脱自在に装着されるカバーケースとを有し、本体ケースに第２基板の一部を支持するように一体形成された基板支持部と、第１，第２基板に夫々固定されて互いに接続・分離可能な第１，第２コネクタであって、接続状態で第２基板の前記一部から離隔した他部を第１基板に対して支持するように設けられた第１，第２コネクタと、カバーケースに一体形成され、カバーケースを本体ケースに装着した状態で、基板支持部及び第１，第２コネクタと協働して、第２基板を基板ケースに対して位置決め固定するように第２基板に係合する係合部とを備えたので、本体ケースに第１基板が支持されるように第１基板をセットして、また、第１，第２コネクタを接続して、第１基板に対して第２基板を一体化した状態で、本体ケースにカバーケースを装着することで、本体ケースとカバーケースに夫々一体形成された基板支持部と係合部及び第１，第２コネクタを利用し、第２基板の位置決め固定用のビス等を別途用いなくて済む簡単な構造で、第１，第２基板間の間隔が適当に空くようにして、第２基板を基板ケースに対して確実に迅速に位置決め固定でき、第２基板の取付けから最終的にカバーケースを本体ケースに装着する迄の作業負荷を著しく軽減できる。
【００２１】
請求項２の遊技機によれば、第２基板に係合部に対応する挿通孔が形成され、係合部は、カバーケースを本体ケースに装着した状態で、本体ケースの方へ突出状に形成されるとともに、第２基板の挿通孔の外周近傍部に先端部が当接可能な係合基部と、この係合基部から先端側へ延びて挿通孔を挿通する挿通軸部とを有するので、係合基部により、第２基板をその面直交方向に位置決めでき、第２基板がカバーケースの方へ移動しないようにして、第１，第２コネクタが分離することを防止でき、また、挿通軸部により、第２基板をその面平行方向に位置決め可能にでき、故に、第２基板を基板ケースに対して確実に位置決め固定でき、また、第２基板の取付けから最終的にカバーケースを本体ケースに装着する迄の作業負荷を確実に軽減できる。
【００２２】
請求項３の遊技機によれば、挿通軸部の先端部が係合される係合孔が第１基板に形成されたので、第１基板をその面平行方向に位置決めでき、これにより、第１，第２基板のガタツキを防止できる。この係合部に、第１基板を位置決めする機能と、第２基板を位置決めする機能の両機能を併せ持たせることができる。
【００２３】
請求項４の遊技機によれば、基板支持部は、第２基板の前記一部である一端縁近傍部を支持するように、本体ケースの一端縁側の側壁部に形成され、第１，第２コネクタは、第２基板の前記他部である他端縁側の部分を支持するように設けられたので、本体ケースの一端縁側の側壁部を基板支持部の形成に有効利用できるとともに、第２基板を基板ケースに対して安定させた状態で位置決め固定できる。
【００２４】
請求項５の遊技機によれば、基板支持部は、本体ケースの一端縁側の側壁部に一体形成された１又は複数のリブに設けられたので、この１又は複数のリブによって本体ケースの一端縁側の側壁部を補強できるとともに、その１又は複数のリブを基板支持部の形成に有効利用できる。
【００２５】
請求項６の遊技機によれば、係合部及び挿通孔が、第２基板の４つの角近傍部分に夫々対応する配置で４組設けられたので、第２基板を基板ケースに対して一層安定させた状態で位置決め固定できる。
【００２６】
請求項７の遊技機によれば、第２基板が第１基板よりも小さく形成され、カバーケースに一体形成され、カバーケースを本体ケースに装着した状態で、本体ケースと協働して、第１基板を基板ケースに対して位置決め固定するように第１基板に係合する複数の第２の係合部を備えたので、本体ケースに第１基板が支持されるように第１基板をセットして、また、第１，第２コネクタを接続して、第１，第２基板を一体化した状態で、本体ケースにカバーケースを装着することで、第１基板の位置決め固定用のビス等を別途用いなくて済む簡単な構造で、第１基板を基板ケースに対して確実に迅速に位置決め固定でき、第１基板の取付けから最終的にカバーケースを本体ケースに装着する迄の作業負荷を著しく軽減できる。
【００２７】
請求項８の遊技機によれば、第１基板に複数の第２の係合部に対応する複数の第２の係合孔が形成され、各第２の係合部は、カバーケースを本体ケースに装着した状態で、本体ケースの方へ突出状に形成されるとともに、第１基板の前記第２の係合孔の外周近傍部に先端部が当接可能な第２の係合基部と、この第２の係合基部から先端側へ突出して第２の係合孔に係合する先端係合部とを有するので、第２の係合基部により、第１基板をその面直交方向と面平行方向に位置決めでき、こうして、第１基板を基板ケースに対して確実に位置決め固定でき、また、第１基板の取付けから最終的にカバーケースを本体ケースに装着する迄の作業負荷を確実に軽減できる。
【００２８】
請求項９の遊技機によれば、本体ケースとカバーケースに、カバーケースを本体ケースに着脱可能に装着する着脱ヒンジ機構が一体的に設けられたので、本体ケースにカバーケースを容易に確実に位置決めして装着でき、故に、第１，第２基板の取付けから最終的にカバーケースを本体ケースに装着する迄の作業負荷を確実に軽減できる。
【００２９】
請求項１０の遊技機によれば、着脱ヒンジ機構は、本体ケースの他端縁側の側壁部に形成された枢支軸と、本体ケースの一端縁側の側壁部に形成された係止爪と、カバーケースの他端縁側の側壁部に前記枢支軸部に枢支可能に形成された枢支爪と、カバーケースの一端縁側の側壁部に前記係止爪が係止可能に形成された係止孔とを有するので、先ず、枢支軸に枢支爪を係合させ、本体ケースに対してカバーケースを回動させて、係止孔に係止爪を係合させることで、本体ケースにカバーケースを簡単に装着でき、請求項２のような構成の場合、カバーケースの係合部の挿通軸部を第２基板の挿通孔に確実に挿通させることができ、請求項３のような構成の場合、その挿通軸部の先端部を第１基板の係合孔に確実に係合させることができ、こうした効果は特に請求項４のような構成の場合に有効になり、また、請求項８のような構成の場合、カバーケースの第２係合部の先端係合部を第１基板の第２の係合孔に確実に係合させることができる。
【発明を実施するための最良の形態】
【００３０】
本発明の遊技機では、接近対向状に配置されて互いに電気的に接続される第１，第２基板が基板ケースに収容され、その基板ケースが、第１基板を第２基板側と反対側から支持する本体ケースと、この本体ケースに第２基板側から着脱自在に装着されるカバーケースとを有し、本体ケースに一体形成された基板支持部に第２基板の一部が支持され、互いに接続・分離可能な第１，第２コネクタが第１，第２基板に夫々固定されて、接続状態の第１，第２コネクタにより第２基板の前記一部から離隔した他部が第１基板に対して支持され、カバーケースが本体ケースに装着された状態で、カバーケースに一体形成された係合部が第２基板に係合し、この係合部と基板支持部及び第１，第２コネクタとの協働により、第２基板が基板ケースに対して位置決め固定される。
【実施例】
【００３１】
図１に示すように、本発明の遊技機であるパチンコ機１は、各種処理や制御を実行する為の複数の基板１０〜２１を備え、これらの基板１０〜２１は図示のように太線で示す電力線と細線で示す信号線とで電気的に接続されている。尚、パチンコ機１は、基板１０〜２１以外に複数の基板を備えているが、それらの基板については図示省略する。
【００３２】
図２に示すように、パチンコ機１には、前面側に遊技領域を形成する遊技盤２が設けられ、この遊技盤２の後面部に、主制御基板１３を収容する主基板ケース３０、演出インターフェース基板１７及び演出制御基板１８を収容する演出基板ケース３１、液晶制御基板１９を収容する液晶基板ケース３２が、図示の配置で取付けられている。
【００３３】
演出インターフェース基板１７、演出制御基板１８、演出基板ケース３１が、特許請求の範囲に記載の第１基板、第２基板、基板ケースに相当し、以下、これらを第１基板１７、第２基板１８、基板ケース３１として、詳しく説明する。
【００３４】
図５〜図９に示すように、第１，第２基板１７，１８は夫々面が前後方向に向く矩形板状に形成され、第１基板１７が第２基板１８よりも前側に位置するように、また、第１，第２基板１７，１８間の間隔が適当に空くようにして、第１，第２基板１７，１８が前後に接近対向状に配置され、第１，第２基板１７，１８に夫々固定されて互いに接続・分離可能な第１，第２コネクタ２５，２６により電気的に接続されている。
【００３５】
第１基板１７は上下長が左右長よりも長く形成され、第２基板１８は第１基板１７よりも小さく形成され、第２基板１８の大部分が第１基板１７の後側に位置するように配置されている。具体的に、第２基板１８は、第１基板１７の上下長の１／２弱程度の上下長と、第１基板１７の左右長の２／３程度の左右長とを有する。そして、第２基板１８の下端縁が第１基板１７の下端縁よりも下方へ少しだけ張出し、また、第１，第２基板１７，１８の両中心部の左右方向位置が略一致している。
【００３６】
第１，第２コネクタ２５，２６は雄雌コネクタ（例えば、第１コネクタ２５が雄側で第２コネクタ２６が雌側）からなり、夫々、左右方向に細長く、その左右長は第２基板１８の左右長の１／２程度である。第２コネクタ２６は、第２基板１８の上端縁近傍部の前面部に、第２基板１８と第２コネクタ２６の両中心部の左右方向位置が略一致するように固定され、第１コネクタ２５は、この第２コネクタ２６に対応させて、第１基板１７の中央部よりもやや下側の前面部に固定されている。
【００３７】
ここで、第２基板１８（演出制御基板１８）には、ＣＰＵ、ＲＯＭ、ＲＡＭの他、必要な素子が実装されるとともに、多数のプリント配線が施されている。また、第１基板１７（演出インターフェース基板１７）には、第２基板１８と液晶制御基板１９に夫々１又は複数系統で所定電圧の電力を供給する為の複数の素子を含む回路の他、必要な素子が実装されるとともに、多数のプリント配線が施されている。
【００３８】
更に、第１基板１７には、コマンド中継基板１５、電源中継基板１６、液晶制御基板１９、スピーカ中継基板２０、ＬＥＤ接続基板２１等に電気的に接続する為の複数のコネクタ４０〜４７が実装され、その関係で、第１基板１７は比較的大きなサイズに形成されている。複数のコネクタ４０〜４７は、第１基板１７の左右両端縁近傍部の後面部に、左右２組に分けられ夫々上下に一列状に配置され固定されている。
【００３９】
図２〜図１４に示すように、基板ケース３１は、接近対向状に配置されて互いに電気的に接続される第１，第２基板１７，１８を収容して位置決め固定するために、前後方向かみ視て第１基板１７よりも少し大きな矩形に且つ多少の前後幅のある形状に形成され、第１基板１７を第２基板１８側と反対側（前側）から支持する合成樹脂製の好ましくは透明な本体ケース５０と、この本体ケース５０に第２基板１８側（後側）から着脱自在に装着される合成樹脂製の好ましくは透明なカバーケース６０とを有する。
【００４０】
図３〜図１１に示すように、本体ケース５０は、前板部５０ａと、前板部５０ａの上下左右の端縁側の側壁部５０ｂ〜５０ｅとを有する。前板部５０ａの上下左右の端縁部分と側壁部５０ｂ〜５０ｅの前端部分との内面部には、複数のリブ状の基板受部５０ｆが一体形成されて、前板部５０ａの周方向に適当間隔おきに配置され、これら基板受部５０ｆにより、第１基板１７の外周縁部分が受止められて、第１基板１７が前板部５０ａから後方へ適当な間隔を空けて支持される。
【００４１】
本体ケース５０には、基板支持部５１が第２基板１８の一部を前側から支持するように一体形成されている。この基板支持部５１は、第２基板１８の一部である下端縁近傍部（一端縁近傍部）を支持するように、本体ケース５０の下端縁側（一端縁側）の側壁部５０ｃに形成され、具体的には、本体ケース５０の下端縁側の側壁部５０ｃの内面部に形成された３つのリブ５０ｇに設けられている。
【００４２】
例えば、本体ケース５０の下端縁側の側壁部５０ｃの内面部には５つの基板受部５０ｆが等間隔おきに形成され、そのうちの左右両端を除く３つの基板受部５０ｆから３つのリブ５０ｇが連続的に形成され、各リブ５０ｇのうち側壁部５０ｃよりも後方へ突出する部分で基板支持部５１が形成されている。尚、各リブ５０ｇのうち側壁部５０ｃよりも後方へ突出する部分の下端は、後方程上方へ移行する傾斜状に形成されている。
【００４３】
そして、第１，第２コネクタ２５，２６は、接続状態で、第２基板１８の一部である下端縁近傍部から離隔した他部である、第２基板１８の上端縁側（他端縁側）の部分を支持するように設けられている。こうして、第１基板１７が本体ケース５０に支持され、本体ケース５０の基板支持部５１に第２基板１８が支持されるとともに、接続状態の第１，第２コネクタ２５，２６により第２基板１８が第１基板１７に対して支持され得る状態で、カバーケース６０を本体ケース５０に装着することになる。
【００４４】
図３〜図９、図１２〜図１４に示すように、カバーケース６０は、後板部６０ａと、後板部６０ａの上下左右の端縁側の側壁部６０ｂ〜６０ｅとを有し、カバーケース６０が本体ケース５０に装着されると、これら側壁部６０ｂ〜６０ｅの前端部が本体ケース５０の側壁部５０ｂ〜５０ｅの後端部に外嵌される。カバーケース６０には、左右両端部分に上下に長い開口６０ｆ，６０ｇが形成され、これら開口６０ｆ，６０ｇから複数のコネクタ４０〜４７が外部後方へ臨んでいる。尚、開口６０ｆ，６０ｇの外側壁部が側壁部６０ｄ，６０ｅからなり、開口６０ｆ，６０ｇの他の側壁部は後板部６０ａに連なるように別途形成されている。後板部６０ａには多数の放熱用の孔６０ｈが形成されている。
【００４５】
カバーケース６０には、カバーケース６０を本体ケース５０に装着した状態で、基板支持部５１及び第１，第２コネクタ２５，２６と協働して、第２基板１８を基板ケース３１に対して位置決め固定するように第２基板１８に係合する４つの係合部６１と、本体ケース５０と協働して、第１基板１７を位置決め固定するように第１基板１７に係合する４つの第２の係合部６５とが一体形成されている。
【００４６】
第２基板１８には、４つの係合部６１に夫々対応する４つの挿通孔７１が形成され、第１基板１７には、４つの係合部６１に夫々対応する４つの係合孔７２と、４つの第２の係合部６５に夫々対応する４つの第２の係合孔７５とが形成されている。４組の係合部６１及び挿通孔７１及び係合孔７２は、第２基板１８の４つの角近傍部分に夫々対応する配置で設けられ、４組の第２の係合部６５及び第２の係合孔７５は、第１基板１７の４つの角近傍部分に夫々対応する配置で設けられている。
【００４７】
各係合部６１は、カバーケース６０を本体ケース５０に装着した状態で、カバーケース６０の後板部６０ａから本体ケース５０の方（前方）へ突出状に形成されるとともに、第２基板１８の対応する挿通孔７１の外周近傍部に先端部が当接可能な係合基部６１ａと、この係合基部６１ａから先端側（前側）へ延びて挿通孔７１を挿通する挿通軸部６１ｂとを有し、この挿通軸部６１ｂの先端部が第１基板１７の対応する係合孔７２に係合する。
【００４８】
例えば、係合基部６１ａは、軸状部と、この軸状部から断面十字状に張出す４つのリブとを有し、挿通軸部６１ｂは、係合基部６１ａの軸状部から連続的に延びるように形成され、挿通軸部６１ｂの先端外周面はテーパ的に形成されている。
【００４９】
各第２の係合部６５は、カバーケース６０を本体ケース５０に装着した状態で、カバーケース６０の後板部６０ａから本体ケース５０の方（前方）へ突出状に形成されるとともに、第１基板１７の対応する第２の係合孔７５の外周近傍部に先端部が当接可能な第２の係合基部６５ａと、この第２の係合基部６５ａから先端側（前側）へ突出して第２の係合孔７５に係合する先端係合部６５ｂとを有する。
【００５０】
例えば、第２の係合基部６５ａは、係合部６１の係合基部６１ａの軸状部よりも太い軸状部と、この軸状部から断面十字状に張出す４つのリブとを有し、先端係合部６５ｂは、第２の係合基部６５ａの軸状部から連続的に延びるように形成され、先端係合部６５ｂの先端外周面はテーパ的に形成されている。
【００５１】
ここで、図３〜図１４に示すように、基板ケース３１の本体ケース５０とカバーケース６０には、カバーケース６０を本体ケース５０に着脱可能に装着する着脱ヒンジ機構８０が一体的に設けられている。
【００５２】
この着脱ヒンジ機構８０は、本体ケース５０の上端縁（他端縁）側の側壁部５０ｂに形成された枢支軸８１と、本体ケース５０の下端縁（一端縁）側の側壁部５０ｃに形成された係止爪８２と、カバーケース６０の上端縁側の側壁部６０ｂに枢支軸部８１に枢支可能に形成された枢支爪８３と、カバーケース６０の下端縁側の側壁部６０ｃに係止爪８２が係止可能に形成された係止孔８４とを有する。
【００５３】
例えば、この着脱ヒンジ機構８０において、枢支軸８１、係止爪８２、枢支爪８３、係止孔８４は、夫々、左右１対設けられている。そして、枢支軸８１は本体ケース５０の側壁部５０ｂの体部よりも上方へ位置するように設けられ、係止爪８２は本体ケース５０の側壁部５０ｃの本体部から下方へ突出するように設けられている。また、枢支爪８３はカバーケース６０の側壁部６０ｂの本体部よりも前方へ張出した部分に上方へ突出するように設けられ、係止孔８４はカバーケース６０の側壁部６０ｃの本体部よりも前方へ張出した部分に形成されて設けられている。
【００５４】
以上説明したパチンコ機１の作用・効果について説明する。
第１，第２基板１７，１８と基板ケース３１（本体ケース５０とカバーケース６０）を分離状態から使用状態に組立てる場合、先ず、本体ケース５０に第１基板１７が支持されるように第１基板１７をセットし、それから、第１，第２基板１７，１８に夫々固定された第１，第２コネクタ２５，２６を接続して、第１，第２基板１７，１８を一体化する。この場合、本体ケース５０のカバーケース６０装着側が上に向く姿勢にして行うことが望ましい。尚、第１，第２コネクタ２５，２６を接続して第１，第２基板１７，１８を一体化した後に、本体ケース５０に第１基板１７をセットすることもできる。
【００５５】
こうして、第１，第２基板１７，１８が接近対向状に配置されて互いに電気的に接続され、第１基板１７が第２基板側１８と反対側から本体ケース５０に支持され、本体ケース５０に一体形成された基板支持部５１に第２基板１８の下端縁近傍部が支持されるとともに、接続状態の第１，第２コネクタ２５，２６により第２基板１８の上端縁側の部分が第１基板１７に対して支持され得る状態で、カバーケース６０を本体ケース５０に第２基板１８側から装着する。
【００５６】
カバーケース６０を本体ケース５０に装着する場合、先ず、本体ケース５０に対してカバーケース６０をその下端側から比較的大きく開けた状態にして、着脱ヒンジ機構８０にて、先ず、カバーケース６０の枢支爪８３を、本体ケース５０の側壁部５０ｂの本体部と枢支軸８１との間に差し込んでから枢支軸８１に係合させ、その後、カバーケース６０を本体ケース５０に装着するように枢支軸８１を中心に回動させる。
【００５７】
すると、カバーケース６０は本体ケース５０に対して所定の軌道を通るように回動し、前記のように、本体ケース５０に第１基板１７がセットされ、第１，第２基板１７，１８が第１，第２コネクタ２５，２６で一体化されているため、カバーケース６０の係合部６１の挿通軸部６１ｂが第２基板１８の挿通孔７１に挿通し、最終的に、その係合部６１の挿通軸部６１ｂの先端部が第１基板１７の係合孔７２に係合し、カバーケース６０の第２の係合部６５の先端係合部６５ｂが第１基板１７の第２の係合孔７５に係合する。
【００５８】
この状態で、本体ケース５０の係止爪８２がカバーケース６０の係止孔８４に係合して、カバーケース６０が本体ケース５０に装着される。ここで、図８では、係合部６１の挿通軸部６１ｂが挿通孔７１に隙間なく嵌合しているが遊嵌するようにしてもよい。挿通軸部６１ｂが挿通孔７１に挿通途中時には遊嵌するが、最終的には隙間なく嵌合するようにしてもよく、この場合、挿通軸部６１ｂを先細り状に形成して達成できる。
【００５９】
そして、カバーケース６０が本体ケース５０に装着された状態で、カバーケース６０に一体形成された係合部６１が第２基板１８に係合し、この係合部６１と基板支持部５１及び第１，第２コネクタ２５，２６との協働により、第２基板１８が基板ケース３１に対して位置決め固定され、また、係合部６１が第１基板１７に係合するとともに、第２の係合部６５が第１基板１７に係合し、本体ケース５０とカバーケース６０との協働により、第１基板１７が基板ケース３１に対して位置決め固定される。
【００６０】
以上のように、このパチンコ機１によれば、接近対向状に配置されて互いに電気的に接続される第１，第２基板１７，１８を基板ケース３１に収容し、その基板ケース３１が、第１基板１７を第２基板１８側と反対側から支持する本体ケース５０と、この本体ケース５０に第２基板１８側から着脱自在に装着されるカバーケース６０とを有し、本体ケース５０に第２基板１８の一部を支持するように一体形成された基板支持部５１と、第１，第２基板１７，１８に夫々固定されて互いに接続・分離可能な第１，第２コネクタ２５，２６であって、接続状態で第２基板１８の前記一部から離隔した他部を第１基板１７に対して支持するように設けられた第１，第２コネクタ２５，２６と、カバーケース６０に一体形成され、カバーケース６０を本体ケース５０に装着した状態で、基板支持部５１及び第１，第２コネクタ２５，２６と協働して、第２基板１８を基板ケース３１に対して位置決め固定するように第２基板１８に係合する係合部６１とを備えた。
【００６１】
従って、本体ケース５０に第１基板１７が支持されるように第１基板１７をセットして、また、第１，第２コネクタ２５，２６を接続して、第１基板１７に対して第２基板１８を一体化した状態で、本体ケース５０にカバーケース６０を装着することで、本体ケース５０とカバーケース６０に夫々一体形成された基板支持部５１と係合部６１及び第１，第２コネクタ２５，２６を利用し、第２基板１８の位置決め固定用のビス等を別途用いなくて済む簡単な構造で、第１，第２基板１７，１８間の間隔が適当に空くようにして、第２基板１８を基板ケース３１に対して確実に迅速に位置決め固定でき、第２基板１８の取付けから最終的にカバーケース６０を本体ケース５０に装着する迄の作業負荷を著しく軽減できる。
【００６２】
第２基板１８に係合部６１に対応する挿通孔７１が形成され、係合部６１は、カバーケース６０を本体ケース５０に装着した状態で、本体ケース５０の方へ突出状に形成されるとともに、第２基板１８の挿通孔７１の外周近傍部に先端部が当接可能な係合基部６１ａと、この係合基部６１ａから先端側へ延びて挿通孔７１を挿通する挿通軸部６１ｂとを有するので、係合基部６１ａにより、第２基板１８をその面直交方向に位置決めでき、第２基板１８がカバーケース６０の方へ移動しないようにして、第１，第２コネクタ２５，２６が分離することを防止でき、また、挿通軸部６１ｂにより、第２基板１８をその面平行方向に位置決め可能にでき、故に、第２基板１８を基板ケース３１に対して確実に位置決め固定でき、また、第２基板１８の取付けから最終的にカバーケース６０を本体ケース５０に装着する迄の作業負荷を確実に軽減できる。
【００６３】
挿通軸部６１ｂの先端部が係合される係合孔７２が第１基板１７に形成されたので、第１基板１７をその面平行方向に位置決めでき、これにより、第１，第２基板１７，１８のガタツキを防止できる。この係合部６１に、第１基板１７を位置決めする機能と、第２基板１８を位置決めする機能の両機能を併せ持たせることができる。
【００６４】
基板支持部５１は、第２基板１８の前記一部である一端縁近傍部を支持するように、本体ケース５０の一端縁側の側壁部５０ｃに形成され、第１，第２コネクタ２５，２６は、第２基板１８の前記他部である他端縁側の部分を支持するように設けられたので、本体ケース５０の一端縁側の側壁部３０ｃを基板支持部５１の形成に有効利用できるとともに、第２基板１８を基板ケース３１に対して安定させた状態で位置決め固定できる。
【００６５】
基板支持部５１は、本体ケース５０の一端縁側の側壁部５０ｃに一体形成された複数のリブ５０ｇに設けられたので、複数のリブ５０ｇによって本体ケース５０の一端縁側の側壁部５０ｃを補強できるとともに、その複数のリブ５０ｇを基板支持部５１の形成に有効利用できる。
【００６６】
係合部６１及び挿通孔７１が、第２基板１８の４つの角近傍部分に夫々対応する配置で４組設けられたので、第２基板１８を基板ケース３１に対して一層安定させた状態で位置決め固定できる。
【００６７】
第２基板１８が第１基板１７よりも小さく形成され、カバーケース６０に一体形成され、カバーケース６０を本体ケース５０に装着した状態で、本体ケース５０と協働して、第１基板１７を基板ケース３１に対して位置決め固定するように第１基板１７に係合する複数の第２の係合部６５を備えたので、本体ケース５０に第１基板１７が支持されるように第１基板１７をセットして、また、第１，第２コネクタ２５，２６を接続して、第１，第２基板１７，１８を一体化した状態で、本体ケース５０にカバーケース６０を装着することで、第１基板１７の位置決め固定用のビス等を別途用いなくて済む簡単な構造で、第１基板１７を基板ケース３１に対して確実に迅速に位置決め固定でき、第１基板１７の取付けから最終的にカバーケース６０を本体ケース５０に装着する迄の作業負荷を著しく軽減できる。
【００６８】
第１基板１７に複数の第２の係合部６５に対応する複数の第２の係合孔７５が形成され、各第２の係合部６５は、カバーケース６０を本体ケース５０に装着した状態で、本体ケース５０の方へ突出状に形成されるとともに、第１基板１７の第２の係合孔７５の外周近傍部に先端部が当接可能な第２の係合基部６５ａと、この第２の係合基部６５ａから先端側へ突出して第２の係合孔７５に係合する先端係合部６５ｂとを有するので、第２の係合基部６５ａにより、第１基板１７をその面直交方向と面平行方向に位置決めでき、こうして、第１基板１７を基板ケース３１に対して確実に位置決め固定でき、また、第１基板１７の取付けから最終的にカバーケース６０を本体ケース５０に装着する迄の作業負荷を確実に軽減できる。
【００６９】
本体ケース５０とカバーケース６０に、カバーケース６０を本体ケース５０に着脱可能に装着する着脱ヒンジ機構８０が一体的に設けられたので、本体ケース５０にカバーケース６０を容易に確実に位置決めして装着でき、故に、第１，第２基板１７，１８の取付けから最終的にカバーケース６０を本体ケース５０に装着する迄の作業負荷を確実に軽減できる。
【００７０】
尚、前記実施例の変形例として次のように構成してもよい。
（１）係合部６１、挿通孔７１、係合孔７２の数や配置については、前記以外に種々設定可能である。
（２）係合部６１の挿通軸部６１ｂの先端部を係合孔７２に係合させなくてもよい。つまり、係合孔７２を省略してもよい。
【００７１】
（３）４つの係合部６１の一部の係合部６１（例えば、第１, 第２コネクタ２５，２６の近くにある上側の２つの係合部６１）については、挿通軸部６１ｂを省略し、係合基部６１ａのみの構成としてもよい。つまり、その一部の係合部６１に対応する挿通孔７１と係合孔７２を省略し、その一部の係合部６１では、第２基板１８を第１基板１７側と反対側から押え得るのみの構成としてもよい。
【００７２】
（４）第１，第２基板１７のサイズや形状や第１基板１７に対する第２基板１８の配置については、前記以外に種々設定可能である。
（５）基板支持部５１について、本体ケース５０の側壁部５０ｃに一体形成された１つのリブに設けてもよいし、複数のリブに設ける場合、そのリブの数を種々設定可能である。
（６）基板支持部５１については、本体ケース５０の側壁部５０ｃにリブ５０ｇと無関係に一体形成してもよい。
【００７３】
（７）第２の係合部６５、第２の係合孔７５の数や配置については、前記以外に種々設定可能である。
（８）カバーケース６０を本体ケース５０に着脱する機構として、前記の着脱ヒンジ機構８０以外の種々の機構を採用可能である。
（９）第１，第２基板１７，１８としては、演出インターフェース基板１７と演出制御基板１８に限らず、種々の基板を採用可能である。
【００７４】
（１０）第２基板１０を本体ケース５０にセットした際、複数のリブ５０ｇの先端部（基板支持部５１）が係合する係合部（例えば、係合穴）を第２基板１８に形成してもよい。これにより、本体ケース５０にカバーケース６０を装着する前に、本体ケース５０に第２基板１８を（即ち、第１基板１７も）確実に位置決めでき、依って、本体ケース５０にカバーケース６０を装着する際に、係合部６１の挿通軸部６１ｂを挿通孔７１に確実に挿通させることができ、その挿通軸部６１ｂの先端部を係合孔７２に確実に係合させ、第２の係合部６５の先端係合部６５ｂを第２の係合孔７６に確実に係合させることができる。
【００７５】
その他、本発明の趣旨を逸脱しない範囲において種々の変更を付加して実施可能であり、本発明については、パチンコ機を含む弾球遊技機、更には、スロットマシン等の種々の遊技機において、互いに電気的に接続される第１，第２基板を接近対向状に配置して基板ケースに収容するものに適用可能である。
【図面の簡単な説明】
【００７６】
【図１】パチンコ機の要部の構成ブロック図である。
【図２】パチンコ機の要部の後面図である。
【図３】基板ケースの後方斜め上側からの斜視図である。
【図４】基板ケースの後方斜め下側からの斜視図である。
【図５】基板ケースの後面図である。
【図６】基板ケースの前面図である。
【図７】図５のVII −VII 線断面図である。
【図８】図５のVIII−VIII線断面図である。
【図９】図５のIX−IX線断面図である。
【図１０】本体ケースの後方斜め上側からの斜視図である。
【図１１】本体ケースの後方斜め下側からの斜視図である。
【図１２】カバーケースの後方斜め上側からの斜視図である。
【図１３】カバーケースの後方斜め下側からの斜視図である。
【図１４】カバーケースの前面図である。
【符号の説明】
【００７７】
１  パチンコ機
１７，１８  第１，第２基板
２５，２６  第１，第２コネクタ
３１  基板ケース
５０  本体ケース
５０ｂ，５０ｃ  側壁部
５０ｇ  リブ
５１  基板支持部
６０  カバーケース
６１  係合部
６１ａ  係合基部
６１ｂ  挿通軸部
６５  第２の係合部
６５ａ  第２の係合基部
６５ｂ  先端係合部
７１  挿通孔
７２  係合孔
７５  第２の係合孔
８０  着脱ヒンジ機構
８１  枢支軸
８２  係止爪
８３  枢支爪
８４  係止孔
【図１】
0004562148.tif 000002
【図２】
0004562148.tif 000003
【図３】
0004562148.tif 000004
【図４】
0004562148.tif 000005
【図５】
0004562148.tif 000006
【図６】
0004562148.tif 000007
【図７】
0004562148.tif 000008
【図８】
0004562148.tif 000009
【図９】
0004562148.tif 000010
【図１０】
0004562148.tif 000011
【図１１】
0004562148.tif 000012
【図１２】
0004562148.tif 000013
【図１３】
0004562148.tif 000014
【図１４】
0004562148.tif 000015